(57)【要約】【課題】断熱層の内側での壁体内通気が可能であって、高温環境に晒されても外装材の支持強度とともに遮炎のための通気断面積を保持することが可能な建物の壁体を提供する。【解決手段】床下空間２ａと小屋裏空間１３とを連通する壁体内通気路１７を断熱層１５の内側に有するとともにこの断熱層１５を外装材１４で被った壁体１１を前提とする。住宅１の外周に沿って水平方向に置かれる胴差し（横架材）２２と、この胴差しの長手方向に連続して延びて胴差し２２の側面に金釘（連結金具）５３で打付けられるとともに断熱層部分１５ａ，１５ｂに対して上下方向に連続する横桟木５５とを備える。横桟木５５と胴差し２２との間に床下空間２ａと小屋裏空間１３とにわたる通気のための連通路５１を形成する。横桟木５５に外装材１４を他の金釘（連結金具）で打付けて支持したことを特徴としている。【選択図】      図１
2005290695.tif 000002
【特許請求の範囲】
【請求項１】
床下空間と小屋裏空間とを連通する壁体内通気路を断熱層の内側に有するとともにこの断熱層を外装材で被った建物の壁体において、
建物の外周に沿って水平方向に置かれる横架材と、この横架材の長手方向に連続して延びて前記横架材の側面に連結金具で連結されるとともに前記断熱層に対して上下方向に連続する横桟木とを備え、前記横桟木と前記横架材との間に前記床下空間と小屋裏空間とにわたる通気のための連通路を形成し、前記横桟木に縦胴縁を介して前記外装材を他の連結金具で連結したことを特徴とする建物の外壁。
【請求項２】
前記横架材の長手方向に沿って間隔的に配置される複数のスペーサを、前記横架材に前記横桟木とともに前記連結金具で連結したことを特徴とする請求項１に記載の建物の外壁。
【請求項３】
前記スペーサの上下方向の寸法を、前記横桟木の上下方向の寸法より大きくしたことを特徴とする請求項２に記載の建物の外壁。
【請求項４】
前記スペーサを、熱収縮が木材に比較して小さくかつ金属より熱伝導性が小さい耐熱材料で形成したことを特徴とする請求項２又は３に記載の建物の壁体。
【請求項５】
所定温度以下では前記連通路を開いた状態に維持し、所定温度を超える温度では前記連通路を閉じるように発泡膨張する閉塞要素を、前記横桟木に支持させたことを特徴とする請求項１から４の内のいずれか１項に記載の建物の壁体。
【請求項６】
請求項１から５の内のいずれか１項に記載の壁体を具備した建物。
【発明の詳細な説明】
【技術分野】
【０００１】
本発明は、壁体での断熱をする断熱層の内側に床下空間と小屋裏空間との通気をとる壁体内通気路を有した在来軸組構造の建物の壁体、並びにこの壁体を備える木造住宅等の在来軸組構造の建物に関する。
【背景技術】
【０００２】
従来、断熱を施した住宅で、火災発生時に壁体内通気路を通って階上に延焼することを抑制するために、熱に感応して流通を遮断する防火遮断板を壁体内通気路に配設する技術が知られている（例えば、特許文献１参照。）。
【０００３】
特許文献１の技術では、階上重量を支持する端根太などの支持材を避けて設けられた壁体内通気路に防火遮断板を取付け、この遮断板は複数の通気孔を有しているとともに各通気孔の内側に加熱によって発泡する無機質発泡体を設けている。この技術では、非火災時には通気孔により規制された通気断面積を確保して壁体内通気を可能とし、火災発生時には無機質発泡体の発泡により通気孔が閉じて、火炎が壁体内通気路を伝って他の空間に回って延焼することを抑制可能である。
【０００４】
又、外装材を支持する縦胴縁を外部火災から守るために、縦胴縁を釘打ち可能で防火性能を有する材料で形成し、この縦胴縁を縦枠材にこれとの間に下地面材を挟んで釘打ちするとともに、縦胴縁にこれを被う外装材を釘打ちする技術が知られている（例えば、特許文献２参照。）。
【特許文献１】特開平８−１３５０３８号公報（段落0005−0018、図１−図４）
【特許文献２】特開２０００−２３４４０４号公報（段落0010−0011、図１）
【発明の開示】
【発明が解決しようとする課題】
【０００５】
特許文献１は、壁体内通気路の流通を火災発生時に遮断する技術を開示しているに過ぎず、壁体内通気路に火炎が仮に及んだ場合に、外装材の支持強度を保持することについては言及していない。
【０００６】
通常外装材は壁体での断熱のための断熱層の外側に配置された縦胴縁に釘打ちされ、縦胴縁は断熱層を貫通する釘によって建物の重みを支持する胴差し等の躯体要素に支持されている。したがって、火災発生時に壁体内通気路を通る火炎等によって前記金釘が異常な熱変形を起こした場合には、外装材の支持強度を保持できなくなる可能性が考えられる。
【０００７】
壁体での断熱を行う断熱層が例えばプラスチック系発泡材のような耐熱性に劣る材料で形成される場合、壁体内通気路に火炎が侵入すると、この壁体内通路に臨んでいる断熱層が高熱によって、溶けるに伴い縦胴縁を止めている釘が高熱に晒されて、外装材の支持強度が劣化する恐れが考えられるので、こうした点に配慮して壁体内通気をする壁体を構成することが要請されている。
【０００８】
更に、既述のように断熱層が熱により溶けると、壁体内通路に断熱層が占めていたスペースを加味した大きな空間が形成される。このような通気断面積の拡大の伴い、火炎が通りやすくなり延焼が容易となる可能性が考えられるので、こうした点にも配慮して壁体内通気をする壁体を構成することが要請されている。なお、特許文献１の発泡体は、規制された通気断面積での遮炎には有効であるが、既述のように断熱層の溶解により通気断面積が大きく不定に拡大する情況には対応できない。
【０００９】
又、特許文献２は、外部火災に対して縦胴縁を保護する技術を開示したに過ぎず、壁体での断熱をする断熱層については記載がない。当然に、断熱層の内側に壁体内通気路を確保することについても記載がないので、この壁体内通気路に万が一火炎が侵入した場合の対策についても記載されていない。
【００１０】
そこで、断熱を施す建物に特許文献２の技術を応用して、縦胴縁を躯体要素に釘で直接打付ける構成とすることが考えられる。この場合、縦胴縁を固定した釘が、壁体内通路に侵入した火炎に晒されることを、縦胴縁によって妨げて、釘が過熱されないようにできる。
【００１１】
しかし、この構成では、躯体要素に釘打ちされ多数本の縦胴縁によって断熱層が建物の周囲方向に沿って分断され、各縦胴縁の数に相当する多くの部分で断熱欠損を発生するので好ましくない。しかも、地域によって異なる断熱層の厚みを貫通できる大きさの縦胴縁を必要とするだけではなく、前記分断により断熱層が小片化して、取付け工数が増えるなど、施工上も好ましくない。
【００１２】
本発明の目的は、断熱層の内側での壁体内通気が可能であって、高温環境に晒されても外装材の支持強度とともに遮炎のための通気断面積を保持することが可能な建物の壁体及びこの壁体を備えた建物を提供することにある。
【課題を解決するための手段】
【００１３】
前記課題を解決するために、本発明に係る建物の外壁は、床下空間と小屋裏空間とを連通する壁体内通気路を断熱層の内側に有するとともにこの断熱層を外装材で被った建物の壁体において、建物の外周に沿って水平方向に置かれる横架材と、この横架材の長手方向に連続して延びて前記横架材の側面に連結金具で連結されるとともに前記断熱層に対して上下方向に連続する横桟木とを備え、前記横桟木と前記横架材との間に前記床下空間と小屋裏空間とにわたる通気のための連通路を形成し、前記横桟木に縦胴縁を介して前記外装材を他の連結金具で連結したことを特徴としている。
【００１４】
本発明で、横架材として、通し柱に直角に連結される胴差しやこの胴差しと平行に配置される部材等を挙げることができる。本発明で、横桟木とは、連結金具が挿通可能な材料、例えば木製角材を好適に使用できるが、木製に限らず例えば無機質材料を主体として作られたものも使用可能である。本発明で、連結金具とは壁体を組立るため使用される金属製の連結具を指しており、代表的には金釘を例示できる。
【００１５】
本発明では、横架材の側面に連結した横桟木と横架材との間に連通路を形成したことによって、横桟木が横架材の長手方向に連続して延びて設けられているにも拘わらず、前記連通路を通して床下空間と小屋裏空間とにわたる通気が可能である。そして、横架材に連結した横桟木に縦胴縁を介して外装材を連結してあるため、万一、火災時等に壁体内通路に火炎が侵入して断熱層が仮に溶けて壁体内通路が高温環境となっても、外装材を横桟木に連結する連結金具及び横桟木を横架材に連結する連結金具が高温に晒されないように縦胴縁及び横桟木で保護できる。この結果、連結金具の熱劣化が抑制されて、外装材の支持強度が保持される。更に、この火災時に既述のように断熱層が溶けることがあっても、横架材の側面に連結されている横桟木によって、これと外装材裏面との間の通気断面積及び連通路の断面積（言い換えれば通気断面積）を変化しないように維持できることに加えて、横桟木がファイヤストップ材として機能するので、壁体内を通る延焼を抑制できる。
【００１６】
又、本発明の好ましい形態では、前記横架材の長手方向に沿って間隔的に配置される複数のスペーサを、前記横架材に前記横桟木とともに前記連結金具で連結するとよい。この発明で、スペーサとは、上下に開放する連通路を規定するための部材を指しており、連結金具が挿通可能で、好ましくは熱収縮が木材に比較して小さくかつ金属より熱伝導性が小さい耐熱材料で作るとよい。そうした材料として無機質材料を主体として作られたものを好適に例示できるが、スペーサには、木材を用いることもできる。木製のスペーサを用いる場合には、このスペーサが所定時間高温に晒されても、連結金具を連通路に露出させないだけの燃え代を予め考慮した大ききに木製スペーサを形成して用いればよい。
【００１７】
この発明の形態では、スペーサによって横架材と横桟木との間に壁体内通気路の連通路を確保できる。そして、横桟木を横架材に固定する連結金具がスペーサを通っているので、火災時等に万一連通路が火炎などにより高温環境となっても、スペーサによって連結金具が高温に晒されないよう保護して、連結金具の熱劣化を抑制できる。
【００１８】
又、本発明の好ましい形態では、前記スペーサの上下方向の寸法を、前記横桟木の上下方向の寸法より大きくするとよい。
【００１９】
この発明の形態では、スペーサの上下方向の少なくともいずれか一方の端部が横桟木の上下方向に突出して、横桟木に下向きに加えられる外装材重量を支える耐力を向上できる点で好ましい。
【００２０】
又、本発明の好ましい形態では、スペーサを、熱収縮が木材に比較して小さくかつ金属より熱伝導性が小さい耐熱材料で形成するとよい。
【００２１】
この発明の形態では、スペーサが、木材に比較して熱収縮が小さくかつ熱伝導性が金属より小さい耐熱材料で形成されるので、火災時に、スペーサとこれに隣接した支持材等の部材との間に熱収縮による隙間ができることを抑制して、高温が連結金具に及ぶことを抑制できるとともに、スペーサがその周囲の高温の熱を連結金具に伝導することも抑制でき、かつ、耐熱性によりスペーサが焼失することもなく、既述の抑制作用を維持できる点で好ましい。
【００２２】
又、本発明の好ましい形態では、所定温度以下では前記連通路を開いた状態に維持し、所定温度を超える温度では前記連通路を閉じるように発泡膨張する閉塞要素を、前記横桟木に支持させるとよい。
【００２３】
この発明の形態では、火災時に熱で閉塞要素が加熱されてその温度が所定温度を超えると、閉塞要素が発泡膨張して連通路を通る通気を断つことができる。この場合、連通路の通気断面積は既述のように火災時にも変わることがないので、閉塞要素の発泡膨張によって連通路の通気を断つ性能に優れている。しかも、連通路の通気断面積は、その上下に連なる通気部分よりも小さいので、閉塞要素の使用量が少なくてすみ、且つ、閉塞要素の発泡膨張による閉塞時間も短くできる点で好ましい。
【００２４】
又、前記課題を解決するために、本発明に係る建物は、前記各発明の内のいずれかの発明に係る壁体を具備しているので、既述の作用を得て、断熱層の内側での床下空間と小屋裏空間とにわたる壁体内通気が可能であって、高温環境に晒されても外装材の支持強度とともに遮炎のための通気断面積を保持することが可能な壁体を備えた建物を提供できる。
【発明の効果】
【００２５】
本発明によれば、横架材とこれに連結した横桟木との間に連通路を形成するとともに、横桟木に縦胴縁を介して外装材を連結したことによって、断熱層の内側での床下空間と小屋裏空間とにわたる壁体内通気が可能であって、万が一、壁体内通気路に火炎が侵入して壁体内通気路が高温環境に晒されても、外装材の支持強度とともに遮炎のための通気断面積を保持することが可能な建物の壁体及びこの壁体を備えた建物を提供できる。
【発明を実施するための最良の形態】
【００２６】
図１〜図５を参照して本発明の第１実施形態に係る在来軸組構造の二階建て木造住宅を説明する。
【００２７】
図１中に示すように住宅１が備えるコンクリート製の基礎２は、その内側に床下空間２ａを形成する。この床下空間２ａを断熱するために、基礎２の主体をなす基礎コンクリートの屋外面又は屋内面の内の少なくとも一方に断熱層（図示しない）が被着されている。基礎２は１以上の床下換気口３を有している。この床下換気口３を開閉する床下ダンパー４が基礎２に取付けられている。床下ダンパー４は手動又は電動により任意に開閉される。符号５は基礎２上に構築された階下居室として１階居室を示している。符号６は１階居室５上に構築された階上居室として２階居室を示している。なお、符号５ａは床下空間２ａに臨んだ１階居室５の床板、５ｂは１階居室５の天井板を示している。符号６ａは２階居室６の床板、６ｂは小屋裏空間１３に臨んだ２階居室６の天井板を示している。又、図１中符号７は土台を示している。
【００２８】
居室５，６は住宅１の外郭で被われている。外郭は、壁体１１及び屋根１２等を備えている。壁体１１は１、２階の居室５、６を囲んで設けられている。屋根１２は壁体１１の上側に連続して設けられていて、この屋根１２と最上階の２階居室６との間には小屋裏空間１３が形成されている。
【００２９】
前記外郭は、壁体での断熱のための断熱層１５と、この断熱層１５を間に置いて設けられた外側通気路１６と壁体内通気路１７とを備えている。断熱層１５には、プラスチック系断熱材例えば独立発泡された発泡ポリスチレンを一層又は複層したボードを好適に使用でき、この他に難燃性又は不燃性のフェノールフォーム、ＡＬＣ、又はグラスウールやロックウールなどの繊維系断熱材を層状としたものも使用可能である。断熱層１５の内側に、居室５，６、小屋裏空間１３、及び壁体１１の壁体内通気路１７が設けられている。
【００３０】
住宅１の上部に、断熱層１５によって外側通気路１６から区画された小屋裏空間１３と屋外との連通を開閉する換気部として例えば強制換気装置１８が設けられている。強制換気装置１８は、小屋裏空間１３と屋外とを連通した排気路１８ａと、この排気路１８ａ中に少なくともファンが配置された電動式の換気扇１８ｂと、この換気扇１８ｂの好ましくは下流側に配置されて排気路１８ａを開閉する排気ダンパー１８ｃとを有して形成されている。強制換気装置１８等からなる換気部は、排気ダンパー１８ｃを備えない構成でもよい。更に、換気部は、手動又は電動により開閉されてその開放により自然換気をする排気ダンパーであってもよく、更に、ドレーキップ窓や天窓などの開口部開閉要素のような通常の建具も包含する。
【００３１】
外側通気路１６は、断熱層１５と壁体１１の外装材１４及び屋根材との間にこれらに沿って形成されている。外側通気路１６の下端１６ａは、常時開口されていて、屋外の大気中に連通されている。屋根１２の上部には屋外に連通されるように開放された排気部１９が設けられていて、この排気部１９に外側通気路１６の上端部が連通されている。
【００３２】
壁体内通気路１７は、住宅１の躯体をなす例えば通し柱等の柱２１（図３参照）及び胴差し２２（図１〜図５参照）を利用して、断熱層１５と居室５，６との間にこれらに沿って形成されていて、床下空間２ａと小屋裏空間１３とを連通している。この壁体内通気路１７は、階下側通気路部分３１と、階上側通気路部分４１と、これらの通気路部分３１，４１を連通して設けられた連通路５１とで形成されている。垂直棒材である柱２１は住宅１の外周部に垂直に延びて配置されている。胴差し２２は、横架材として機能するものであって、その端を柱２１に連結して住宅１の外周部に沿って水平方向に配置されている。
【００３３】
階下側通気路部分３１は、柱２１及び胴差し２２の一面に周部を固定された垂直面材であって耐火性内被材として機能する例えば石膏ボード３２と、柱２１及び胴差し２２の他面側に配置された断熱層１５の中で１階居室５に対応する断熱層部分１５ａとの間に形成されている。石膏ボード３２は１階居室５に臨んでいる。図２及び図３等に示すように柱２１及び胴差し２２の他面には、胴差し２２の下側に配置される木摺り３３が貼られていて、これは断熱層部分１５ａに重ねられている。木摺り３３は複数の細長い木摺り材を互に平行に配して、その両端を柱２１及び胴差し２２に金釘で打付けたものであって、隣接した木摺り材相互間に間隙３３ａを有している。この間隙３３ａにより、胴差し２２及びこの側面に対向した断熱層部分１５ａの間と階下側通気路部分３１とが連通されている（図２参照）。更に、階下側通気路部分３１は床下空間２ａに連通されている。この床下空間２ａへの連通は例えば間隙３３ａが担っている（図１参照）。
【００３４】
階上側通気路部分４１は、柱２１及び胴差し２２の一面に周部を固定された垂直面材であって耐火性内被材として機能する例えば石膏ボード４２と、柱２１及び胴差し２２の他面側に配置された断熱層１５の中で２階居室６に対応する断熱層部分１５ｂとの間に形成されている。石膏ボード４２は２階居室６に臨んでいる。図２及び図３等に示すように柱２１及び胴差し２２の他面には、胴差し２２の下側に配置される木摺り４３が貼られていて、これは断熱層部分１５ｂに重ねられている。木摺り４３は複数の細長い木摺り材を互に平行に配して、その両端を柱２１及び胴差し２２に金釘で打付けたものであって、隣接した木摺り材相互間に間隙４３ａを有している。この間隙４３ａにより、胴差し２２及びこの側面に対向した断熱層部分１５ｂの間と階上側通気路部分４１とが連通されている（図２参照）。更に、間隙４３ａにより、階上側通気路部分４１と小屋裏空間１３とが連通されている（図１参照）。
【００３５】
なお、木摺り３３、４４は、耐力壁又は準耐力壁として機能するものであって、図３の例では、複数の細長い木摺り材を斜めに配置したが、これに限らず、複数の細長い木摺り材を、水平に配置してもよく、又は垂直に配置することに可能である。
【００３６】
階上の重みを受ける胴差し２２の側面には、この胴差し２２の長手方向に沿って間隔的にスペーサ５２（なお、パッキンと称することも可能である。）が配置されている。これら複数のスペーサ５２は、図３に例示するように四角形であって、その上下端部に夫々打ち込まれた１以上の連結金具例えば金釘５３によって胴差し２２に連結されている。なお、胴差し２２の側面と面一に連続する柱２１の側面にもスペーサ５２が金釘５３によって打付けられている。柱２１に配置されたスペーサ５２と胴差し２２に配置されたスペーサ５２とは水平方向に沿って一列に並べられている。柱２１に配置されたスペーサ５２は省略可能である。これら複数のスペーサ５２の板厚は、前記木摺り材３３，３４の板厚と略同じであり、同じ板厚とであることが好ましい。
【００３７】
スペーサ５２は、金釘を打ち込み可能であって、熱収縮が木材に比較して小さくかつ金属より熱伝導性が小さい耐熱材料で形成することが好ましい。こうしたものとして防耐火性能を有する材料、例えば無機質材料を主とする材料、具体的には石膏ボード、珪酸カルシウム板、スラグ石膏ボードなどを好適に用いることができる。しかし、スペーサ５２は金属より熱伝導性が小さい無機質材料以外の材料例えば木材で形成することもできる。この場合、スペーサ５２が所定時間高温に晒されても、このスペーサ５２を挿通した金釘を連通路５１に露出させないだけの燃え代を予め考慮した大ききに形成した木製スペーサを用いればよい。
【００３８】
胴差し２２の側面にはその長手方向に連続して延びる１本又は複数本の横桟木５５が、１以上の連結金具例えば金釘５６によって胴差し２２に連結されている。金釘５６はスペーサ５２を貫通して胴差し２２に打付けられている。複数のスペーサ５２にわたって配置された横桟木５５の上下方向の寸法は、スペーサ５２の上下方向の寸法より小さい。これにより、スペーサ５２の少なくとも一端部が横桟木５５の上方又は下方から突出され、本実施例に場合にはスペーサ５２の上下両端部が横桟木５５からはみ出している。
【００３９】
横桟木５５のスペーサ５２からの出幅は、断熱層部分１５ａ,１５ｂの厚さ（３０mm〜１００mm）と略同じであるが、同じ厚さとすることが好ましい。横桟木５５には、木製角材を好適に使用できるが、金釘５６等の連結金具を打込み可能な防耐火性能を有する材料、例えば既述の無機質材料を主とする材料を使用することも可能である。この横桟木５５は、断熱層部分１５ａ,１５ｂに対して上下方向に連続して配置され、本実施形態では断熱層部分１５ａ,１５ｂで上下から挟まれている。
【００４０】
この横桟木５５と胴差し２２との間には、スペーサ５２の厚みに相当する隙間からなり上下両端が開放された複数の連通路５１が形成されている。この連通路５１は、木摺り３３の間隙３３ａを通して階下側通気路部分３１と連通されているとともに、木摺り４３の間隙４３ａを通して階上側通気路部分４１と連通されている。
【００４１】
断熱層部分１５ａ,１５ｂの外面には、これらの外面にわたって上下方向に連続して延びる複数本の縦胴縁５８（図４参照）が、住宅１の外周に沿って所定間隔で配置されている。これら縦胴縁５８は横桟木５５及び図示しない他の水平材に図示しない金釘（連結金具）により打付けられている。
【００４２】
断熱層部分１５ａ,１５ｂの外面は、防耐火性能を有する材料からなる外装材１４で覆われている。この外装材１４は、各縦胴縁５８に図示しない金釘（連結金具）により打付けられている。このように取付けられた外装材１４と断熱層部分１５ａ,１５ｂとの間には前記外側通気路１６が形成されている。この外側通気路１６には横桟木５５の側面も臨んでいる。壁体１１は、以上説明した外装材１４、断熱層部分１５ａ,１５ｂ、外側通気路１６、壁体内通気路１７、スペーサ５２、横桟木５５、及び縦胴縁５８を備えている。
【００４３】
前記構成を備えた住宅１の壁体１１は、住宅１の外周に沿って水平方向に置かれて階上の重みを受ける胴差し２２と、この長手方向に連続して延びて胴差し２２に金釘５６で打付けられた横桟木５５との間に、胴差し２２に金釘５３で打付けられて胴差し２２と横桟木５５とに挟まれたスペーサ５２の厚みに相当する連通路５１を有している。そして、この連通路５１で壁体内通気路１７の階下側通気路部分３１と階上側通気路部分４１とを連通したので、断熱層１５の内側での壁体内通気が可能である。
【００４４】
この住宅１は、夏場は、床下ダンパー４を開放するとともに、強制換気装置１８の排気ダンパー１８ｃを開けて換気扇１８ｂを運転して使用される。これにより、外郭の内側に配置された断熱層１５で外断熱をしつつ、この断熱層１５の外側の外側通気路１６による外側通気と、断熱層１５の内側の壁体内通気路１７による内側通気とが行われる。
【００４５】
自然換気による外側通気で、外側通気路１６の下端１６ａの開口から取込まれた屋外空気が、外側通気路１６を上昇して屋根１２の排気部１９から屋外に排出される。この外側通気により住宅１の外郭での排熱及び排湿がなされる。
【００４６】
一方、強制換気装置１８の換気力によって、床下換気口３から床下空間２ａに吸い込まれた空気は、この床下空間２ａで冷やされた空気と混じり合ってから、壁体内通気路１７の階下側通気路部分３１に吸込まれて上昇し、この階下側通気路部分３１から胴差し２２回りの連通路５１を通って階上側通気路部分４１に吸込まれて、ここから小屋裏空間１３に吸込まれた後に、強制換気装置１８を通って屋外に排気される。これにより、壁体内通気路１７を通って小屋裏空間１３に集まった熱気や湿気が屋外に逃がされて、居室５，６の温度上昇が抑えられるので、夏場でのより良好な居住性・快適性を確保できる。
【００４７】
前記住宅１は、冬場は、床下ダンパー４を閉じるとともに、強制換気装置１８の排気ダンパー１８ｃを閉じて換気扇１８ｂの運転を停止して使用される。これにより、外郭の内側に配置された断熱層１５で断熱をしつつ、この断熱層１５の外側での外側通気路１６による外側通気と、断熱層１５の内側での自然循環による通気が行われる。断熱層１５の内側での自然循環による通気は、日射を受けている側では断熱層１５の内側の空気が暖められて上昇し、日陰となっている側では断熱層１５の内側の空気が冷たくなって下降することにより形成され、断熱層１５の内側の暖気は屋外に排気されない。これにより、居室５，６が暖かい環境に置かれて、冬場での良好な居住性・快適性を確保できる。
【００４８】
以上のように断熱層１５の内側で壁体内通気ができる在来軸組構造の住宅１が火災に遭って、万一、屋外や居室内の火炎が壁体内に侵入した場合には、壁体内通気路１７を火炎が上昇しようとするので、連通路５１が高温に晒されることがあるが、それにも拘わらず金釘５３，５６等を高温から保護できる。
【００４９】
すなわち、金釘５３は連通路５１を確保するスペーサ５２を通って胴差し２２に打付けられていて、連通路５１には露出していない。同様に、金釘５６は、横桟木５５及びスペーサ５２を通って胴差し２２に打付けられていて、連通路５１には露出していない。このため、火災時等に連通路５１が火炎などにより高温環境となっても、スペーサ５２又はこのスペーサ５２及び横桟木５５によって金釘５３，５６が高温に晒されないようにできる。この場合、スペーサ５２及び横桟木５５は金属より遥かに低熱伝導性であるので、スペーサ５２及び横桟木５５を介して連通路５１内の高熱が金釘５３，５６に伝導することも抑制できる。
【００５０】
こうして金釘５３，５６が、高温によって異常に伸びたり溶けたりする等、熱劣化することが抑制されるので、これら金釘５３，５６によるスペーサ５２及び横桟木５５の胴差し２２に対する連結が維持されて、スペーサ５２及び横桟木５５を所定位置に保持できる。このため、横桟木５５に縦胴縁５８を介して打付けにより連結された外装材１４の支持強度を保持できる。これに伴い、火災によって外装材１４が脱落することを抑制できる。
【００５１】
又、壁体１１の断熱層である断熱層部分１５ａ,１５ｂが発泡ポリスチレン等のプラスチック系断熱材である場合には、例えば階下側の断熱層部分１５ａが、階下側通気路部分３１に侵入した火炎の高熱によって溶かされることがある。なお、この高熱による断熱層部分１５ａの溶融は、木摺り３３の存在により遅延させることが可能である。又、断熱層部分１５ａ、１５ｂが溶かされた場合に、横桟木５５回りを火炎が流通する状況を、図５中矢印で示す。
【００５２】
こうした事態に至っても、既述のようにスペーサ５２及び横桟木５５が所定位置に保持されているので、横桟木５５と外装材１４の裏面との間の通気断面積、及び横桟木５５と胴差し２２との間の連通路５１の断面積（言い換えれば通気断面積）を変化しないように維持できる。なお、これらの通気断面積は、非火災時の通気性を確保し、かつ、壁体１１内での延焼を抑制する遮炎に有効な大きさに設定されている。これに加えて、スペーサ５２及び横桟木５５が無機材料製である場合には、これらが燃えることがなく、これらスペーサ５２及び横桟木５５がファイヤストップ材として機能する。又、スペーサ５２及び横桟木５５が木製である場合には、その表面が燃えて炭化層となるので、これらスペーサ５２及び横桟木５５がファイヤストップ材として機能する。これにより、壁体１１内を通る延焼を抑制することができる。
【００５３】
しかも、横桟木５５に縦胴縁５８を打付けて連結した金釘（図示しない）は縦胴縁５８を貫通していて外側通気路１６には露出していないとともに、縦胴縁５８に外装材１４を打付けて連結した金釘（図示しない）は外装材１４を貫通していて外側通気路１６には露出していない。このため、既述のように階下側の断熱層部分１５ａが溶かされた場合にも、外装材１４を支えるための金釘が高温に晒されないようにできる。したがって、火災によって外装材１４が脱落することを抑制できる。
【００５４】
又、前記構成の壁体１１は、既述のように断熱層部分１５ａ,１５ｂの厚みに応じた横桟木５５を用いて、これに外装材１４を支持する縦胴縁５８を打付けて連結したことで、縦胴縁５８に断熱層部分１５ａ,１５ｂの厚みを貫通する大きさのものを使用する必要がなくなり、縦胴縁５８には、一般的に使用されている大きさ、つまり、厚さ１５mm〜３０mm、幅２０mm〜５０mmのサイズで、市場流通性の良い、縦胴縁５８を使用できる。
【００５５】
更に、縦胴縁５８を、胴差し２２に直接固定するのではなく、胴差し２２に固定された横桟木５５に支持したので、縦胴縁５８による断熱層部分１５ａ,１５ｂの断面欠損がなくなり、壁体１１の断熱性能の低下もない。なお、横桟木５５によって下側の断熱層部分１５ａと上側の断熱層部分１５ｂとに分断されるが、横桟木５５は胴差し２２に固定されているので、横桟木５５による断熱欠損は実用上無視できる。
【００５６】
しかも、横桟木５５によって断熱層部分１５ａ,１５ｂを分断したが、横桟木５５は縦胴縁５８の使用数に比較して遥かに少なく、多数の縦胴縁５８で断熱層１５が分断されるよりも遥かに断熱層１５の分断数を少なくできるので、分断された断熱層部分１５ａ,１５ｂが大きい。このため、断熱層１５を施工する際の工数が減るので施工上好ましい。
【００５７】
又、前記構成の壁体１１では、胴差し２２と横桟木５５との間に連通路５１を設ける手段として設けられ胴差し２２の打付けて連結されたスペーサ５２の上下方向の寸法を、横桟木５５の上下方向の寸法より大きして、スペーサ５２の上下方向の両端部を、横桟木５５の上下方向に突出させている。したがって、横桟木５５に対して下向きに加えられる外装材１４の重量を支える耐力を向上できる。すなわち、通気路５１を確保するスペーサ５２の厚みに相当する分、横桟木５５の屋外方向への出幅が短くなって、外装材１４の重量により横桟木５５が下向きに回転しようとする耐力を向上できる。更に、横桟木５５の上下方向に突出しているスペーサ５２の上下両端部が胴差し２２に夫々釘打ちされていて、この横桟木５５よりも上下方向に広い領域で横桟木５５を支持するので、外装材１４の重量により横桟木５５が下向きに回転しようとする耐力を向上できる。したがって、外装材１４を支える耐力を向上できる。
【００５８】
更に、胴差し２２との間に連通路５１を設けて配置される横桟木５５は、胴差し２２の長手方向に沿って連続して延びたものであるため、その取付けが容易である。これとともに、この横桟木５５には市場流通性の良い角材を、それに何らの加工を施すことなくそのまま使用できる点で好ましい。すなわち、連通路５１を設ける手段として、スペーサ５２を省略する代わりに、このスペーサ５２の厚みを加味した寸法の角材を横桟木５５として用いて、この角材の側面に上下方向に延びる溝を多数加工して、これらの溝を胴差し２２の側面に対向させて、胴差し２２に前記角材（横桟木５５）を直接金釘で打付けることも可能である。この場合、横桟木５５の多数個所に溝を加工する手間が必要となり、コストが嵩むが、こうしたことは、既述のスペーサ５２を用いることにより解消できる。
【００５９】
その上、胴差し２２の長手方向に沿って連続して延びる横桟木５５と複数のスペーサ５２とを組合せて使用することは、断熱層部分１５ａ,１５ｂの縁を横桟木５５に沿わせるだけで、この横桟木５５を介して断熱層部分１５ａ,１５ｂによる断熱の連続性を確保できるので、断熱層の加工の手間も簡単である。つまり、連通路５１を設けるために、多数の短い横桟木を互いの間に隙間からなる連通路５１を設けて、胴差し２２の長手方向に沿って横一列に並べることも可能である。しかし、この場合には、多数の短い横桟木を逐一胴差し２２に固定するための手間が必要となるだけではなく、連通路５１を残して隙間の外側通気路１６及び外装材１４側を断熱材で埋めるために、前記隙間に合わせた形状の断熱材片を加工して、それを前記隙間に逐一埋め込んで接着するなどの手間が掛かる。しかし、こうしたことは、既述のように一直線状の連続して延びる横桟木５５と複数のスペーサ５２とを組合わせて用いることにより解消できる。
【００６０】
以上説明したように本実施形態の住宅１は、胴差し２２の側面とこれに釘止めされた横桟木５５との間に形成された連通路５１により、階下側通気路部分３１と階上側通気路部分４１とを連通させて、断熱層１５の内側での壁体内通気路１７を確保しつつ、火災中及び消火後においても外装材１４の支持強度を保持できるとともに、火災時には遮炎のための通気断面積、つまり、連通路５１及び横桟木５５と外装材１４との間の隙間を所定の大きさに保持することが可能である。
【００６１】
図６（Ａ）（Ｂ）（Ｃ）は本発明の第２実施形態を示している。この実施形態は、基本的には第１実施形態と同じであるので、同じ構成については第１実施形態と同じ符号を付してその説明を省略し、以下、第１実施形態とは異なる事項を説明する。
【００６２】
第２実施形態では、火災時に連通路を通る通気を遮断して住宅１の防耐火性能を得る構成が付加されている。すなわち、図６（Ａ）の場合には、閉塞要素６１が、横桟木５５とその上側の断熱層部分１５ｂの下縁との間に、これらに接着されることなく挟み込まれている。なお、これに代えて、或いは追加して、横桟木５５とその下側の断熱層部分１５ａの上縁との間に閉塞要素６１を挟み込んでもよい。この場合には、閉塞要素６１は横桟木５５に接着などにより保持される。
【００６３】
又、いずれも場合にも、閉塞要素６１に弾性変形が可能なものを用いて、既述のように挟み込んで配置することは、閉塞要素６１の弾性変形によって、階下側の断熱層部分１５ａ又は階上側の断熱層部分１５ｂと横桟木５５との間の気密性、及び断熱層部分１５ａ又は断熱層部分１５ｂが前記弾性により押し付けられる部分との間の気密性を確保できる点でも好ましい。
【００６４】
更に、既述のように閉塞要素６１を横桟木５５と断熱層部分１５ａ又は断熱層部分１５ｂとの間に挟設することは、閉塞要素６１の面を空気に晒されないように覆ってこの閉塞要素６１を挟んだ部材によって、閉塞要素６１の経年劣化を抑制することを兼ねることが可能である。このため、経年劣化を抑制する保護層を有さない廉価な閉塞要素６１を使用できる点でも好ましい。
【００６５】
図６（Ｂ）の場合には、閉塞要素６１が、連通路５１に臨んだ横桟木５５の側面に接着材等を用いて取付けられている。なお、これに代えて、或いは追加して、閉塞要素６１を連通路５１に臨んだ胴差し２２の側面に接着材等を用いて取付けることもできる。
【００６６】
図６（Ｂ）の場合には、閉塞要素６１が、外側通気路１６に臨んだ横桟木５５の側面に接着材等を用いて取付けられている。
【００６７】
横桟木５５又は胴差し２２の長手方向に沿って連続して延びる前記閉塞要素６１は、所定温度以下では連通路５１又は外側通気路１６を通る通気を維持し、所定温度を超える温度では前記通気を閉じるように発泡膨張するものであって、本実施形態では未発泡の耐火性発泡剤を使用している。
【００６８】
この発泡剤としては、炭化成分、炭化促進剤、発泡主剤、及びバインダ、そして必要に応じて添加される可塑剤、並びに充填剤を含む耐熱性樹脂組成物を例示できる。炭化成分はカーボンを生成させる主成分である。炭化促進剤は炭化成分のカーボン化を促進させる成分である。発泡主剤は発泡を担う主成分である。バインダは前記各材料を結合して耐熱性樹脂組成物の物性を改善するものである。そして、可塑剤は、耐熱性樹脂組成物に柔軟性を付与して塗膜の成形性を高める機能を有し、充填剤は、耐熱性樹脂組成物の不燃性を高めかつ発泡密度を高める機能を有する。
【００６９】
未発泡の耐火性発泡剤からなる閉塞要素６１は、支持材をなす木材の耐熱温度以下の所定温度で発泡して、この発泡を完了する性能を有している。前記発泡を開始する温度は、例えば６０℃〜２５０℃、好ましくは２００℃〜２５０℃であり、この温度を超える温度では発泡が完了して、この発泡により、連通路５１を通る通気が実質的に遮断されるようになっている。なお、閉塞要素６１をなす発泡剤には、前記例示のものの他に、熱で燃えて、膨らんで、この膨らみ状態で固体となる一般市販品を用いることができる。
【００７０】
第２実施形態において、火災時に壁体内通気路１７に万が一火炎が侵入して、階下側の断熱層部分１５ａ及び階上側の断熱層部分１５ｂが溶けるような高温状態になると、その温度雰囲気によって閉塞要素６１が発泡膨張する。
【００７１】
この場合、図６（Ａ）の例では、横桟木５５の上側において胴差し２２の側面と外装材１４の裏面との間にわたって閉塞要素６１が発泡膨張して、胴差し２２の側面と外装材１４の裏面との間を発泡した閉塞要素６１が横桟木５５とともに塞いで、外側通気路１６及び壁体内通気路１７を通る通気及び火炎を断つことができる。これにより、壁体１１内での上方への火災の延焼を抑制できる。
【００７２】
図６（Ｂ）の例では、横桟木５５の側面に保持されている閉塞要素６１が発泡膨張して、胴差し２２と横桟木５５との間の連通路５１が膨張した閉塞要素６１で塞がれる。これにより、壁体１１内で連通路５１を通って上方へ火災が延焼することを抑制できる。
【００７３】
図６（Ｃ）の例では、横桟木５５の他側面に保持されている閉塞要素６１が発泡膨張して、外装材１４と横桟木５５との間の外側通気路１６が膨張した閉塞要素６１で塞がれる。これにより、壁体１１内で外側通気路１６を通って上方へ火災が延焼することを抑制できる。
【００７４】
そして、既述のように階下側の断熱層部分１５ａ等が、侵入した火炎の高熱で溶かされる事態に至っても、スペーサ５２及び横桟木５５が所定位置に保持され、横桟木５５と外装材１４の裏面との間の通気断面積、及び横桟木５５と胴差し２２との間の連通路５１の通気断面積が変化しないように維持される。言い換えれば、壁体１１の断熱層部分１５ａ，１５ｂの少なくとも一方が溶けても、閉塞要素６１の発泡で閉塞すべき通気断面積が変化しないので、既述の発泡による延焼抑制が確実であることは勿論のこと、そのために使用する閉塞要素６１を無闇に要することがなく効率的に使用できる。
【００７５】
しかも、図６（Ａ）及び図６（Ｂ）の構成は、火災に伴い所定温度以上で発泡膨張する閉塞要素６１は、横桟木５５の長手方向に沿って連続して伸びていて、閉塞要素支持材として機能する横桟木５５と断熱層部分１５ｂ又はスペーサ５２との間に挟まれている。これにより、閉塞要素６１が所定位置に取付け保持されているので、その保持性能が優れ、数十年にわたる長期の経過に拘わらず閉塞要素６１が脱落する恐れがない。このため、火災時において確実に閉塞要素６１を機能させて、連通路５１を通る通気及び火炎を断つことができる。
【００７６】
更に、図６（Ｂ）の構成では、横桟木５５及びスペーサ５２が木製である場合、それらは火災に伴う温度上昇により乾燥して熱収縮することがある。しかし、連通路５１内の温度雰囲気が所定の高温状態になると、発泡膨張して連通路５１を塞ぐ閉塞要素６１が、これを横桟木５５との間に挟んでいるスペーサ５２を胴差し２２に押し付けるため、横桟木５５とスペーサ５２との間及びスペーサ５２と胴差し２２との間に隙間が形成されることが抑制される。このため、スペーサ５２とこれを挟む胴差し２２及び横桟木５５との間を通して高温が金釘５３に及ぶことを抑制できる。この結果、横桟木５５の支持強度、ひいては外装材１４の支持強度を保持する上で好ましい。
【００７７】
以上説明した事項以外の第２実施形態の構成及び作用は第１実施形態と同じである。したがって、第２実施形態の住宅１は、胴差し２２の側面とこれに釘止め等により連結された横桟木５５との間に形成された連通路５１により、階下側通気路部分３１と階上側通気路部分４１とを連通させて、断熱層１５の内側での壁体内通気路１７を確保しつつ、火災中及び消火後においても外装材１４の支持強度を保持できるとともに、火災の際には閉塞要素６１により連通路５１を通る通気を遮断して住宅１の防耐火性能を得ることができる。
【００７８】
図７及び図８は本発明の第３実施形態を示している。この実施形態は、基本的には第１実施形態と同じであるので、同じ構成については第１実施形態と同じ符号を付してその説明を省略し、以下、第１実施形態とは異なる事項を説明する。
【００７９】
第３実施形態では、胴差し２２の側面に、その長手方向に沿って間隔的に複数の凸部２２ａとこれに隣接して連通路５１として機能する複数の溝２２ｂとを設けている。溝２２ｂの上下両端は夫々開放されている。胴差し２２の凸部２２ａとこれを横切るように配置された横桟木５５との間には、横桟木５５にその長手方向に沿って連続して延びる閉塞要素６１が挟まれており、この閉塞要素６１を挿通して凸部２２ａに金釘５６が打ち込まれることによって、横桟木５５が胴差し２２の側面にこの胴差し２２の長手方向に連続して延びて連結されている。これにより、胴差し２２と横桟木５５との間に溝２２ｂからなる上下両端が開放された複数の連通路５１が形成されている。第３実施形態では以上のように連通路５１を構成したので、木摺り及びスペーサは省略されている。又、凸部２２ａと横桟木５５とで挟まれていない閉塞要素６１の非挟設部分は連通路５１に臨んでいる。
【００８０】
以上説明した事項以外の第３実施形態の構成は第１実施形態と同じである。したがって、この第３実施形態でも、第１実施形態と同様な作用により本発明の課題を解決できる。更に、閉塞要素６１を備えているので、第２実施形態の図６（Ｂ）に示した構成と同様の作用効果を得て、火災の際には閉塞要素６１により連通路５１を通る通気を遮断して住宅１の防耐火性能を得ることができる。
【００８１】
本発明は前記各実施形態には制約されない。例えば、前記各実施形態では、床下空間と小屋裏空間とにわたる通気経路の中で、壁体内通気路の高さ方向中間位置に配置した連通路によって、壁体内通気路の上下に隣接した壁体内通気路部分同士を連通させたが、本発明は、壁体内通気路と床下空間とを連通させるために、壁体内通気路の高さ方向下端に連通路を配置して実施することも可能であり、又、壁体内通気路と小屋裏空間とを連通させるために、壁体内通気路の高さ方向上端に連通路を配置して実施することも可能である。
【００８２】
又、本発明は、外側通気路を有さないで断熱層の内側に壁体内通気路を形成した住宅等の建物にも適用可能である。
【図面の簡単な説明】
【００８３】
【図１】本発明の第１実施形態に係る壁体を備えた住宅を示す概略断面図。
【図２】図１の住宅が備えた胴差し回りを示す断面図。
【図３】断熱層を除去した状態で図２中Ｆ３−Ｆ３線に沿って胴差し回りを示す正面図。
【図４】図２中Ｆ４−Ｆ４線に沿って胴差し回りを示す断面図。
【図５】断熱層を除去した状態で図１の住宅が備えた胴差し回りを示す断面図。
【図６】（Ａ）から（Ｃ）は本発明の第２実施形態に係る閉塞要素付きの壁体を備えた住宅の胴差し回りの夫々異なる例を示す断面図。
【図７】本発明の第３実施形態に係る壁体を備えた住宅の胴差し回りを示す断面図。
【図８】図７中Ｆ８−Ｆ８線に沿って胴差し回りを示す断面図。
【符号の説明】
【００８４】
１…住宅（建物）
２ａ…床下空間
３…床下換気口
１１…壁体
１３…小屋裏空間
１４…外装材
１５…断熱層
１５ａ…階下側の断熱層部分
１５ｂ…階上側の断熱層部分
１６…外側通気路
１７…壁体内通気路
１８…強制換気装置（換気部）
２１…柱
２２…胴差し（横架材）
２２ａ…胴差しの凸部
２２ｂ…胴差しの溝
３１…壁体内通気路の階下側通気路部分
３２…石膏ボード
３３…木摺り
３３ａ…木摺りの間隙
４１…壁体内通気路の階上側通気路部分
４２…石膏ボード
４３…木摺り
４３ａ…木摺りの間隙
５１…連通路
５２…スペーサ
５３…金釘（連結金具）
５５…横桟木
５６…金釘（連結金具）
５８…縦胴縁
６１…閉塞要素
【図１】
2005290695.tif 000003
【図２】
2005290695.tif 000004
【図３】
2005290695.tif 000005
【図４】
2005290695.tif 000006
【図５】
2005290695.tif 000007
【図６】
2005290695.tif 000008
【図７】
2005290695.tif 000009
【図８】
2005290695.tif 000010